(57)【要約】【課題】補助運動、休憩、睡眠、物理療法などの多機能ベッドに関するもので、とりわけベッドフレームの不規則運動を自動修正する機能および緊急ブレーキ機能が設計されている。【解決手段】ベッドフレームとベッド台座があり、ベッドフレームとベッド台座には磁性体が設けられ，通電時に上部と下部にある2つの磁性体が相互作用で反発力と吸引力を生じ、更には永久磁力の組み合わせで電磁力が形成される「磁気を補い磁気を伝達する磁気補償技術」がベッドフレームをベッド台座から離して浮遊状態にし，ベッド台座の磁極変換をコントロールすることによって、カム構造の作動を組み合わせ、ベッドフレームの上下、前後、左右運動を可能にする。【選択図】  図４
0003118847.tif 000002
【実用新案登録請求の範囲】
【請求項１】
ベッド台座とベッドフレームからなるものであって、ベッド台座にはが電源制御ボックス、磁気磁石アレイ、第一カムの第一スローモーターと第二カムの第二スローモーターの接合、上部カメラ、下部カメラ及びリモコン信号受信装置が接続され、上記電源制御ボックスとリモコン信号受信装置が信号を受信すると、磁気アレイ、第一スローモーター及び第二スローモーターを動作、停止させ、また、ベッドフレームには永久磁石アレイ、第一カム接合構造及び第二カム接合構造が設置され、上記ベッドフレームがベッド台座に設置され、第一カムと第二カムのそれぞれが上記第一カム接合構造及び第二カム接合構造とは一対となり、且つ、磁気磁石アレイと永久磁石アレイが互いに重ねる場合では通電すると、上記磁気磁石アレイと永久磁石アレイが相互作用の関係により反発及び吸引を発生し、ベッドフレームがベッド台座を離れて浮く磁気浮揚ベッドの改良であって、ベッド台座には案内磁気レールが設置され、上記案内磁気レールはベッドフレーの下部に設けられる永久磁石に対応し、また、ベッド台座の上部には内部における複数の小型磁気磁石の位置決め板が設けられ、ベッド台座の下部には上記位置決め板に対応する鉄の金属或いは鉄の横棒が設けられることを特徴とする磁気浮揚ベッドの改良。
【請求項２】
案内磁気レールが鉄の材料で縦と横の端末が上向きの弧状レールとなるように形成され、且つ上記弧状レールがベッドフレームの下部の永久磁極に対応することを特徴とする請求項１に記載の磁気浮揚ベッドの改良。
【考案の詳細な説明】
【技術分野】
【０００１】
本考案は補助運動、休憩、睡眠、物理療法などの多機能ベッドに関するもので、とりわけベッドフレームの不規則運動を自動修正する機能および緊急ブレーキ機能が設計されている。
【背景技術】
【０００２】
現代のマッサージベッドの多くはウォーターベッドあるいはエア・クッションのベッドであり、そのベッドフレームとベッド台座間は大部分が連接棒、歯車、ベルトなどの構造で駆動するものや油圧昇降構造の変換を利用してベッドフレームの上下、前後、左右運動等を可能にするものである。作動過程で低速モーターか油圧モーターが駆動するが、内部の磨耗や故障で容易に人を傷つける。このほか、モーターの高消費電力と騒音、使用後のスイッチ消し忘れ、あるいは長時間使用でモーターが過熱し火災が発生するなど予測不能な経済損失が消費者のマッサージベッドに対する恐怖感や懸念を容易に生じさせ、これらの現象は改善が待たれる。
【０００３】
故に本考案者は先に申請した第0931335150号「磁気浮揚ベッド」において、前述のベッドに関する各種問題を解決した。前述の特許案は磁気浮揚ベッドを提供するもので、ベッドフレームとベッド台座があり、ベッドフレームとベッド台座には磁性体が設けられ，通電時に上部と下部にある2つの磁性体が相互作用で反発力と吸引力を生じ，更には永久磁力の組み合わせで電磁力が形成される「磁気を補い磁気を伝達する磁気補償技術」がベッドフレームをベッド台座から離して浮遊状態にし、ベッド台座の磁極変換をコントロールすることによって、カム構造の作動を組み合わせ、ベッドフレームの上下、前後、左右運動を可能にする。ベッドフレームの運動過程で連接棒、歯車、ベルトなどの構造は一切不要で、モーターや油圧の駆動は不要で、ベッド台座の運動に対応するベッドフレームの摩擦係数はゼロに近づく（空気の摩擦が僅かにあるのみ）で、作動過程においていかなる騒音も生ぜず、従来のマッサージベッドの連動構造による故障が引き起こす人身事故の可能性から完全に脱却した。とりわけ身体は健康だが普段の運動が極端に少ない事務職員が本磁気浮揚ベッドを利用すると、全身の気と血液循環運動を補助する効果が優れている。
【考案の開示】
【考案が解決しようとする課題】
【０００４】
前述の磁気浮揚ベッドの不足するところを補うため、本考案では使用者が不適当な使用をしたときやその他の原因で磁気浮揚ベッドに過度の不規則運動が起こった場合、すぐさまベッドフレームを横方向と縦方向の規則的な運動に自動修正し、同時に適度な緩衝作用をもたし、第一の安全防護としている。；このほか、安全アームロッドについては緊急状況が発生したときにベッドフレームを安定させる第2の安全防護としている。緊急ブレーキシステムについては、第3の安全防護としている。これらによってベッドフレームの位置が安定するよう固定し、磁気浮揚ベッドの使用に際しての安全性と信頼性を高めている。
【課題を解決するための手段】
【０００５】
本考案の技術特徴の一つは、ベッド台座に設けられた磁性体とベッドフレームに設けられた磁性体との間で、「反発する浮揚の働きをする構造」と「引き付けあう浮揚の働きをする構造」を形成することである。加えて、永久磁石が磁気を組み合わせて形成する「磁気を補い磁気を伝達する磁気補償技術」による方式は浮揚能力が高く、エネルギーロスが少なく、コントロールは簡便で、安全信頼でき、技術面では完成されたものであり低コストを実現している特長を有する。          
【考案を実施するための最良の形態】
【０００６】
本考案が提供する比較的優れた実施方式とはベッドフレーム1とベッド台座2を用いていることである。
図１と図２は本考案のベッドフレーム1構造を表し、当該ベッドフレーム1は適度な丈夫さのフレームで構成される。ベッドフレーム1は実際的な必要性に応じて、枕元の板、ベッドの側面の板、ベッド後部の板、リモコン器、音響、マットレスなどに取り付けられる。
【０００７】
ベッドフレーム1の下方には下向きに突き出た複数個の支持柱14が設置され、ベッドフレーム1の下部にはゴムパッド15が設けられている。
このほか、ベッドフレーム1の下方の適当な位置に複数組の永久磁石アレイ11が設置され、ベッドフレーム1の下方の側面よりの部分には第一カム接合構造12が設置され、ベッドフレーム1の下方の中軸線に接近した適当な位置に第二カム接合構造13が設置されている。
【０００８】
図３と図４は本考案のベッド台座2の構造を表し、当該ベッド台座2は適度な丈夫さのフレームで構成される。その中には基本的に、地面に安定的に固定設置された台座21が含まれ、台座21の上には複数組の支持柱22が立てられ、支持柱22の各一本の適当な位置に安全アームロッド23が取り付けられている。
【０００９】
ベッド台座2の上部の適当な位置に電源制御ボックス24および複数組の磁気磁石アレイ25が設けられ、当該磁気磁石アレイ25の位置はベッドフレーム1の上にある永久磁石アレイ11の位置に対応する。
ベッド台座2の上には第一スローモーター26と第二スローモーター27も設けられ、当該第一・第二スローモーター26、27はそれぞれ第一カム261と第二カム271が設けられ、かつ第一カムと第二カム271はベッドフレーム1の第一カム接合構造12と第二カム接合構造13に対応してそれぞれ設けられている。例えば、ベッドフレーム1はベッド台座2に取り付けられ、ゴムパッド15を支持柱22に接触させるとき、第一カム261と第二カム271はそれぞれ、第一カム接合構造12と第二カム接合構造13に組み合わさることが可能となり、同時に２５磁気磁石アレイ25と永久磁石アレイが互いに重なり合うことが可能となる。
【００１０】
ベッド台座2の上には別に上向きのカメラ28が設けられている。ベッド台座2にはリモコン信号受信装置(
図中にはなし )も設けられている。
本考案のリモコン作動方式は以下の通り：
図２が示すベッド台座2の上にあるリモコン信号受信装置および電源制御ボックス24が、使用者がリモコン器を利用して発したスタート信号を受信した時、直ちに磁気磁石アレイ25の作動を開始し、このとき磁気磁石アレイ25が発生する磁力と永久磁石アレイ11は反発して浮揚する作用構造を形成し、容易にベッドフレーム1を持ち上げ、このときベッドフレーム1およびゴムパッド15はベッド台座2の支持柱22を離れてベッド台座2の上方で浮揚する。
リモコン信号受信装置および電源制御ボックス24が、リモコン器が発した左右に揺れ動く信号を受信したとき、直ちに第一スローモーター26の作動をスタートし、これに伴い第一カム261が第一カム接合構造12内で1回転し、ベッドフレーム１を僅かに右に移動させ、このときカメラ28が、ベッドフレーム1が右方向に移動するのを捉えた後、リモコン信号受信装置および電源制御ボックス24のマイクロ・プロセッサに情報が伝達され、マイクロ・プロセッサは磁気磁石アレイ25の磁極を変化させ、反発浮揚の働きと吸引浮揚の働きの交互作用で左右バイブレーション効果が得られる。振動幅が大きくなりすぎないよう、本磁気浮揚ベッドの安全アームロッド23が常時、ベッドフレーム1の左右の非動作範囲における作動をけん制している。
【００１１】
リモコン信号受信装置および電源制御ボックス24が、リモコン器の発した振動信号を受信したとき、直ちに第二スローモーター27が作動を開始し、これに伴い第二カム271が第二カム接合構造17の中で1回転し、ベッドフレーム1を僅かに後ろに移動させ、このときカメラ28はベッドフレーム1が後方に移動したのを捉えた後、リモコン信号受信装置および電源制御ボックス24のマイクロ・プロセッサに情報が伝達され、マイクロ・プロセッサは直ちに磁気磁石アレイ25の磁極を変化させ、反発浮揚の働きと吸引浮揚の働きの交互作用で左右バイブレーション効果が得られる。振動幅が大きくなりすぎないよう、本磁気浮揚ベッドの安全アームロッド23が同様に常時、ベッドフレーム1の左右の非動作範囲における作動をけん制している。
【００１２】
リモコン信号受信装置および電源制御ボックス24が、リモコン器が発する上下震動信号を受信したとき、マイクロ・プロセッサが直ちに磁気磁石アレイ25の磁極を変化させ、反発浮揚の働きと吸引浮揚の働きの交互作用で上下バイブレーション効果が得られる。リモコン信号受信装置および電源制御ボックス24が、使用者がリモコン器で発する停止信号を受信したとき、直ちに磁気磁石アレイ25の電源は切られ、このとき磁気磁石アレイ25は蓄電器容量の緩衝により作動を停止し、ベッドフレーム1は反発磁力作用の支えを失ってゴムパッド15によってベッド台座2の支持柱22の上に落ち、静止状態に復帰する。
本考案では一歩進んで、ベッドフレームの不規則な運動を修正するために用いられる自動修正装置、および危険状況の発生を防止するために用いられる緊急ブレーキシステムが設けられている。自動修正装置の内部ではベッド台座2の上に案内磁気レール3が設置されており、当該本考案の案内磁気レール3のより優れた実施例は、鉄を材質とし、同レールの縦方向と横方向の最後部は上部の弧状レール31に向かっており（第五図と第六図）、当該最後部上方の弧状レール31はベッドフレーム1の下方の永久磁石アレイ11に対応して設置されている。ベッドフレーム下方の永久磁石アレイ11が、その磁力の有効な範囲でベッド台座2の上方の案内磁気レール3を感応すると、案内磁気レール3は感応して吸引する磁極を発生し、主電磁の反発する浮揚力がベッドフレーム1を縦方向もしくは横方向に運動するよう誘導するとき、案内磁気レール3は磁気伝導システムを展開し、ベッドフレーム1が案内磁気レールに沿って縦方向もしくは横方向に運動するよう誘導し、同時に弧状レール31の最後部が上向きになっているので、ベッドフレームが縦向きもしくは横向きの運動で前・後・左・右の死点に達すると、弧形軌道31の最後部とベッドフレーム下方の永久磁石アレイ11の永久磁極の接近により、このとき案内磁気レール3は前・後・左・右の死点範囲内での緩衝作用中にベッドフレーム1を抑える働きをし、ベッドフレームが既定の方向と距離にしたがって運行するよう動きを限定させ、使用者の運動方向が偏ってしまった場合は、弧形軌道31と上方の永久磁石が直ちに互いに引き付けあい、ベッドフレームの不規則運動を修正し、ベッドフレームを既定の縱または横方向の運動に復帰させる。
【００１３】
本考案における緊急ブレーキシステムの優れた実施例は、ベッドフレーム1の下方に鉄製金属板または横梁の支持柱14が設置されていること、およびベッド台座2の上に当該鉄製金属板または横梁の支持柱14に対応する位置決め板29が設けられていることである。当該位置決め板29の優れた実施例は、ベークライト類の硬質で不電導の材料を主体に採用し、外縁は柔らかいプラスチックあるいはクヌギのゴムで覆われ、中は数個の小型電磁石を設置し（図中はなし）、当該位置決め板29の一方では、金属チェーン291がベッド台座2の天辺に固定され、もう一方は中に浮いた状態となっている。使用過程中、ベッド台座の中心に設けられたカメラ28が、使用者の不適当な使用またはその他の原因（地震や突発的な停電）でベッドフレーム1が過度の不規則運動を引き起こし、案内磁気レール3がベッドフレームの過大な不規則運動を有效に修正できなくなったことを発見すると、制御ボックス24が「緊急ブレーキ」信号を発し、このとき位置決め板29内に設置された数個の小型電磁石が、制御ボックス24内の小型不停電電源供給機（図中なし）が提供する電源と磁力により、
位置決め板29が鉄製のベッドフレームバーにしっかりと吸着し、緊急停車效果をもたらす。この小型不停電電源供給機が提供する電源は、使用者の要求に応じて電気供給を中断する時間を設定できる。例えば、かりに1分間電気供給を中断すると、電磁気は自動的に失効しベッドフレームのロックが解除されるといった設定が可能。
【００１４】
本考案の安全防護設計をまとめると、全部で三つの防護機能があります。第一の安全防護は、前述の案内磁気レール3を利用してベッドフレーム下方の鉄製金属または横梁を組み合わせることであり、もし案内磁気レール3がベッドフレーム1の前・後・左・右の死点範囲内の運動の緩衝作用中に、同不規則運動が強すぎて抑制できない場合、安全アームロッドが直ちに抑制作用を発し、第二の安全防護となる。同時にカメラ28か作動開始し、前述の緊急ブレーキシステムで第三の安全防護となる。
【図面の簡単な説明】
【００１５】
【図１】本考案に係るベッドフレーム構造を示す平面図。
【図２】本考案に係るベッドフレーム構造を示す正面図。
【図３】本考案に係るベッド台座構造を示す平面図。
【図４】本考案に係るベッド台座構造を示す正面図。
【図５】本考案に係るベッド台座構造を示す側面図。
【図６】本考案に係る案内磁気レール構造を示す傾斜図。
【符号の説明】
【００１６】
1   ベッドフレーム
１１永久磁石アレイ
１２第一カム接合構造
１３第二カム接合構造
１４支持柱
１５ゴムパッド
２ベッド台座
２１台座
２２支持柱
２３安全アームロッド
２４電源制御ボックス
２５磁気磁石アレイ
２６第一スローモーター
２７第二スローモーター
２７１第二カム
２８カメラ
２９位置決め板
２９１チェーン
３  案内磁気レール
３１弧状レール
【図１】
0003118847.tif 000003
【図２】
0003118847.tif 000004
【図３】
0003118847.tif 000005
【図４】
0003118847.tif 000006
【図５】
0003118847.tif 000007
【図６】
0003118847.tif 000008